(57)【要約】【課題】電源異常遮断の旨を報知して電源を正常に遮断させる。【解決手段】光学系ＯＰを冷却するファン４３と、作動停止の際に光学系ＯＰが所定の条件を満たす状態までファン４３によって冷却されたときにファン４３を作動停止制御する主制御部１３およびファン制御部７とを備え、光源ランプ４１から射出された光を光変調手段４２によって光変調させてスクリーン８に投射することによって表示画面を表示可能に構成され、ファン４３に対する主制御部１３およびファン制御部７による作動停止制御に先立って電源異常遮断に起因してファン４３が作動停止したときにその異常作動停止情報を記憶する記憶部８と、電源投入時において異常作動停止情報が記憶部８に記憶されていたときに電源異常遮断を報知する報知手段（主制御部１３、画像信号処理部５、プロジェクタユニット４など）とを備えている。【選択図】        図１
2004279908.tif 000002
【特許請求の範囲】
【請求項１】
光源ランプおよび光変調手段を有する光学系と、当該光学系を冷却する冷却部と、作動停止の際に前記光学系が予め設定された所定の条件を満たす状態まで前記冷却部によって冷却されたときに当該冷却部を作動停止制御する冷却制御部とを備え、前記光源ランプから射出された光を前記光変調手段によって光変調させてスクリーンに投射することによって表示画面を表示可能に構成されたプロジェクタであって、
前記冷却部に対する前記冷却制御部による前記作動停止制御に先立って電源異常遮断に起因して当該冷却部が作動停止したときにその異常作動停止情報を記憶する不揮発性の記憶部と、電源投入時において前記異常作動停止情報が前記記憶部に記憶されていたときに前記電源異常遮断を報知する報知手段とを備えているプロジェクタ。
【請求項２】
光源ランプを有する光学系と、当該光学系を冷却する冷却部と、作動停止の際に前記光学系が予め設定された所定の条件を満たす状態まで前記冷却部によって冷却されたときに当該冷却部を作動停止制御する冷却制御部とを備え、前記光源ランプから射出された光を、表示対象画像が描かれた透過性フィルムを透過させてスクリーンに投射することによって表示画面を表示可能に構成されたプロジェクタであって、
前記冷却部に対する前記冷却制御部による前記作動停止制御に先立って電源異常遮断に起因して当該冷却部が作動停止したときにその異常作動停止情報を記憶する不揮発性の記憶部と、電源投入時において前記異常作動停止情報が前記記憶部に記憶されていたときに前記電源異常遮断を報知する報知手段とを備えているプロジェクタ。
【請求項３】
前記報知手段は、前記スクリーンと、前記電源異常遮断を意味する表示を前記スクリーンに投射表示させて当該電源異常遮断を報知する制御部とを備えて構成されている請求項１または２記載のプロジェクタ。
【請求項４】
前記報知手段は、警告音を出力する警告音出力部を備え、当該警告音出力部に対して前記警告音を出力させて前記電源異常遮断を報知する請求項１から３のいずれかに記載のプロジェクタ。
【発明の詳細な説明】
【０００１】
【発明の属する技術分野】
本発明は、光源ランプから射出された光を光変調してスクリーンに表示画面を表示可能に構成されたプロジェクタに関するものである。
【０００２】
【従来の技術】
この種のプロジェクタの一例として、出願人は、特開２００２−１３９７９４号公報に背面投射型表示装置（１０）を開示している。この背面投射型表示装置は、高圧水銀ランプやメタルハライドランプ等からなる光源ランプ（２１）を有して赤色光、緑色光および青色光を射出する光発生手段（２０）と、光発生手段によって射出された光を光変調する光変調手段（光変調装置：３０Ｒ，３０Ｇ，３０Ｂ）と、光変調手段によって光変調された光を拡大するためのレンズ等からなる投写光学系（４０Ｒ，４０Ｇ，４０Ｂ）と、投写光学系によって拡大された光を反射する反射ミラー（５１，５２）と、反射ミラーによって反射された光を受光して各種の表示画面を投射表示可能に構成された背面投射型のスクリーン（６０）とを備えている。この背面投射型表示装置では、利用者によって電源スイッチが操作されて電源が投入された際に、光発生手段に対する通電が開始されて光源ランプが点灯させられる。次に、光発生手段によって射出された光が光変調手段によって光変調されて、投写光学系および反射ミラーを経てスクリーンに背面側から投射される。これにより、光変調手段による光変調に応じた表示画面がスクリーンに投射表示される。この際に、光源ランプや光変調手段などの光学系は、発熱によって非常に高温となる。このため、一般的には、送風ファンで送風することで光学系を冷却している。一方、プロジェクタの使用終了の際には、電源スイッチがオフに操作される。その際に、この種のプロジェクタでは、光源ランプを消灯した後に、直ちに送風ファンを停止することなく、光学系の温度が予め設定された温度以下まで低下した時点で送風ファンの作動を停止させている。
【０００３】
【特許文献１】
特開２００２−１３９７９４号公報（第４−６頁）
【０００４】
【発明が解決しようとする課題】
ところが、このプロジェクタには、以下の改善すべき課題がある。すなわち、このプロジェクタでは、電源スイッチがオフ操作された際に、装置全体の電源を遮断することなく、送風ファンを作動させて光学系を冷却している。しかしながら、利用者によっては、電源スイッチをオフ操作することなく商用電源のコンセントから電源接続用プラグを引き抜いたり、電源スイッチをオフ操作して直ちに商用電源のコンセントから電源接続用プラグを引き抜いたりして電源を異常に遮断することがある。このような電源異常遮断が生じた場合、余熱によって光源ランプや光変調手段の寿命が短くなったり、光源ランプなどの破損を招いたりするおそれもある。その一方、電源が遮断される結果、電源異常遮断を報知することができないため、利用者に対して、その操作が異常であって電源を正常に遮断させるべきであることを認識させるのは困難である。
【０００５】
本発明は、かかる改善すべき課題に鑑みてなされたものであり、利用者に対して電源異常遮断の旨を報知して電源を正常に遮断させ得るプロジェクタを提供することを主目的とする。
【０００６】
【課題を解決するための手段】
上記目的を達成すべく本発明に係るプロジェクタは、光源ランプおよび光変調手段を有する光学系と、当該光学系を冷却する冷却部と、作動停止の際に前記光学系が予め設定された所定の条件を満たす状態まで前記冷却部によって冷却されたときに当該冷却部を作動停止制御する冷却制御部とを備え、前記光源ランプから射出された光を前記光変調手段によって光変調させてスクリーンに投射することによって表示画面を表示可能に構成されたプロジェクタであって、前記冷却部に対する前記冷却制御部による前記作動停止制御に先立って電源異常遮断に起因して当該冷却部が作動停止したときにその異常作動停止情報を記憶する不揮発性の記憶部と、電源投入時において前記異常作動停止情報が前記記憶部に記憶されていたときに前記電源異常遮断を報知する報知手段とを備えている。
【０００７】
また、本発明に係るプロジェクタは、光源ランプを有する光学系と、当該光学系を冷却する冷却部と、作動停止の際に前記光学系が予め設定された所定の条件を満たす状態まで前記冷却部によって冷却されたときに当該冷却部を作動停止制御する冷却制御部とを備え、前記光源ランプから射出された光を、表示対象画像が描かれた透過性フィルムを透過させてスクリーンに投射することによって表示画面を表示可能に構成されたプロジェクタであって、前記冷却部に対する前記冷却制御部による前記作動停止制御に先立って電源異常遮断に起因して当該冷却部が作動停止したときにその異常作動停止情報を記憶する不揮発性の記憶部と、電源投入時において前記異常作動停止情報が前記記憶部に記憶されていたときに前記電源異常遮断を報知する報知手段とを備えている。
【０００８】
これらのプロジェクタでは、例えば、利用者によって誤って電源プラグが商用交流コンセントから引き抜かれたことなどに起因する電源異常遮断が生じた際に、記憶部が、その異常作動停止情報を記憶する。次いで、電源投入時に、異常作動停止情報が記憶部に記憶されていたときには、報知手段が電源異常遮断を報知する。したがって、利用者は、その報知に基づき、前回の使用終了の際に電源を異常に遮断したこと、および今回の使用終了の際には電源スイッチの操作によって電源を正常に遮断すべきであることを認識する。
【０００９】
また、本発明に係るプロジェクタは、上記のプロジェクタにおいて、前記報知手段は、前記スクリーンと、前記電源異常遮断を意味する表示を前記スクリーンに投射表示させて当該電源異常遮断を報知する制御部とを備えて構成されている。
【００１０】
このプロジェクタでは、電源投入時に、異常作動停止情報が記憶部に記憶されていたときには、報知手段の制御部が、電源異常遮断を意味する表示をスクリーンに投射表示させて電源異常遮断を報知する。したがって、利用者は、その表示を視認して、前回の使用終了の際に電源を異常に遮断したこと、および今回の使用終了の際には電源スイッチの操作によって電源を正常に遮断すべきであることを確実に認識する。
【００１１】
さらに、本発明に係るプロジェクタは、上記のプロジェクタにおいて、前記報知手段は、警告音を出力する警告音出力部を備え、当該警告音出力部に対して前記警告音を出力させて前記電源異常遮断を報知する。
【００１２】
このプロジェクタでは、電源投入時に、異常作動停止情報が記憶部に記憶されていたときには、報知手段が、警告音出力部に対して警告音を出力させて電源異常遮断を報知する。したがって、利用者は、その警告音に基づいて、前回の使用終了の際に電源を異常に遮断したこと、および今回の使用終了の際には電源スイッチの操作によって電源を正常に遮断すべきであることを認識する。この場合、電源異常遮断を意味する表示をスクリーンに投射表示し、かつ警告音を出力することで、電源異常遮断の発生したことおよび電源を正常に遮断すべきであることを一層確実に認識させることが可能となる。
【００１３】
【発明の実施の形態】
以下、添付図面を参照して、本発明に係るプロジェクタの好適な発明の実施の形態について説明する。
【００１４】
図１に示すテレビジョン装置１は、一例として、スクリーンの背面から投射光を投射することによって映像を表示する背面投射型のテレビジョン装置であって、主電源２、電源スイッチ３、プロジェクタユニット４、画像信号処理部５、ランプ駆動部６、ファン制御部７、スクリーン８、音声信号処理部９、アンプ１０、スピーカ１１、記憶部１２および主制御部１３を備えて構成されている。また、テレビジョン装置１は、図示しないＴＶチューナおよび映像信号入力部などを備えている。
【００１５】
主電源２は、商用交流用コンセントに接続された電源プラグを介して入力される電力を、ランプ駆動部６、ファン制御部７を初めとして各部で使用する電圧に変換して供給する。また、主電源２は、電源スイッチ３のオン／オフ操作に拘わらず、主制御部１３に対しては電源を供給して作動を維持させる。電源スイッチ３は、テレビジョン装置１を起動および停止させるためのスイッチであって、図２に示すように、テレビジョン装置１の前面に設けられ、オン操作が行われたときにオン信号を主制御部１３に出力する。
【００１６】
プロジェクタユニット４は、光源ランプ４１、光変調手段４２、ファン４３および温度センサ４４を備えて構成され、光源ランプ４１によって射出された白色光を、光変調手段４２によって陰影や着色が施された投射光Ｌに光変調する。光源ランプ４１は、一例として高圧水銀ランプで構成され、ランプ駆動部６から電源が供給されることで点灯して白色光を射出する。光変調手段４２は、入射側偏光板、液晶ライトバルブおよび射出側偏光板などを備え、光源ランプ４１と相俟って光学系ＯＰを構成する。なお、この光学系ＯＰは、ファン４３によって冷却される。ファン４３は、本発明における冷却部を構成し、送風によって光学系ＯＰを強制空冷する。なお、テレビジョン装置１には、いずれも図示しないが、ファン４３の作動時において外気を吸入するための外気吸入口と、排気をするための排気口とが形成されている。温度センサ４４は、光学系ＯＰの温度を検出可能に配設され、検出温度に応じた温度信号Ｓｔを主制御部１３に出力する。画像信号処理部５は、主制御部１３の制御に従い、例えば、図２に示す内容の警告画像２０を表示させるための警告画像信号や、図示しないＴＶチューナから出力される受信映像信号を映像信号Ｓｖとしてプロジェクタユニット４に出力する。
【００１７】
ランプ駆動部６は、主制御部１３によって出力される制御信号Ｓｌの制御に従い、光源ランプ４１に対して電源の供給およびその供給を停止する。ファン制御部７は、主制御部１３および温度センサ４４と相俟って本発明における冷却部の動作を制御する冷却制御部を構成し、主制御部１３によって出力されるファン制御信号Ｓｆの制御に従い、ファン４３に対して電源を供給または供給停止することによってファン４３の作動および停止を制御する。スクリーン８は、図２に示すように、テレビジョン装置１の前面に配設され、プロジェクタユニット４によって光変調された投射光Ｌを受光して拡散または平行光に変換することにより、各種の表示画面を表示する。
【００１８】
音声信号処理部９は、アンプ１０およびスピーカ１１と相俟って本発明における警告音出力部を構成し、主制御部１３の制御に従い、予め規定された警告音声信号や、図示しないＴＶチューナから出力された受信音声信号を音声信号Ｓａとしてアンプ１０に出力する。具体的には、警告音声としては、「前回、クールダウン処理が正常に終了しませんでした。今回からは正常にクールダウン処理をして下さい。」などの内容の音声が規定されている。アンプ１０は、音声信号処理部９から出力された音声信号Ｓａを増幅してスピーカ１１に出力する。スピーカ１１は、図２に示すように、テレビジョン装置１の前面に設けられて、アンプ１０によって増幅された音声信号Ｓａを出力する。
【００１９】
記憶部１２は、書き換え可能な不揮発性メモリ（一例として、フラッシュメモリ）で構成され、主制御部１３によって情報が書き込まれると共に主制御部１３によって情報が読み出される。主制御部１３は、本発明における制御部を構成すると共に、画像信号処理部５、プロジェクタユニット４およびスクリーン８と相俟って本発明における報知手段を構成する。この場合、主制御部１３は、画像信号処理部５および音声信号処理部９を初めとしてテレビジョン装置１全体の動作を統括的に制御すると共に、制御信号Ｓｌおよびファン制御信号Ｓｆを出力してランプ駆動部６およびファン制御部７をそれぞれ制御する。また、主制御部１３は、温度センサ４４によって出力される温度信号Ｓｔが予め設定された温度よりも高いときには、ファン制御信号Ｓｆを出力してファン制御部７に対してファン４３の作動を開始させる。さらに、主制御部１３は、テレビジョン装置１の使用終了時において後述する電源遮断時処理５０（図３参照）を開始して、ファン４３の送風によって光学系ＯＰを冷却するクールダウン処理を正常に行ったときには、「正常」を意味するクールダウン情報を記憶部１２に記憶させる。また、主制御部１３は、電源スイッチ３がオン操作されたときには、後述する電源投入時処理６０（図４参照）を開始して、記憶部１２に記憶されているクールダウン情報の内容に応じて各種の処理を実行する。この場合、主制御部１３は、タイマー機能を備え、「異常」を意味するクールダウン情報が記憶されているときには、スクリーン８に警告画像２０を表示する際の表示時間を計測して予め設定された時間（例えば１分間）だけ警告画像２０を表示させる。
【００２０】
次に、テレビジョン装置１の全体的な動作について、図面を参照して説明する。このテレビジョン装置１では、電源スイッチ３がオン操作された際に、主制御部１３が、図４に示す電源投入時処理６０を開始する。この電源投入時処理６０では、主制御部１３は、まず、制御信号Ｓｌを出力してランプ駆動部６に対して電源の供給を開始させる（ステップ６１）。なお、電源投入時処理６０におけるステップ６２以降の処理内容については、後に詳細に説明する。この際に、光源ランプ４１は、ランプ駆動部６によって電源を供給されて点灯して、白色光を射出する。これに応じて、光学系ＯＰの温度が次第に上昇する。この場合、温度センサ４４が、光学系ＯＰの温度を検出して、温度信号Ｓｔを主制御部１３に出力する。次いで、主制御部１３は、温度信号Ｓｔに基づいて光学系ＯＰの温度が予め設定された温度よりも高くなったと判別したときに、ファン制御信号Ｓｆを出力してファン制御部７に対してファン４３への電源の供給を開始させる。したがって、ファン４３が、作動を開始して光学系ＯＰに対して送風する。この結果、光学系ＯＰが冷却される。
【００２１】
また、電源スイッチ３がオン操作された際には、主制御部１３は、後述するように、記憶部１２に記憶されているクールダウン情報を読み込むと共にそのクールダウン情報の内容（「正常」または「異常」）に拘わらず「異常」に書き換える。次いで、主制御部１３は、通常の映像表示処理と受信音声の出力処理とを実行する。つまり、この処理では、主制御部１３は、画像信号処理部５に対して、図示しないＴＶチューナから出力される受信映像を映像信号Ｓｖとしてプロジェクタユニット４に出力させる。これに応じて、プロジェクタユニット４は、映像信号Ｓｖに基づいて光変調した投射光Ｌをスクリーン８に投射して、スクリーン８に受信映像を表示させる。同時に、主制御部１３は、音声信号処理部９に対して、ＴＶチューナから出力される受信音声を音声信号Ｓａとしてアンプ１０に出力させる。これにより、アンプ１０によって増幅された受信音声がスピーカ１１から出力される。
【００２２】
一方、電源スイッチ３がオフ操作された際には、主制御部１３は、図３に示す電源遮断時処理５０を開始する。この電源遮断時処理５０では、主制御部１３は、まず、画像信号処理部５、音声信号処理部９およびアンプ１０などのファン４３の作動に影響しない各部の作動を停止させると共に（ステップ５１）、制御信号Ｓｌを出力してランプ駆動部６に対して電源の供給を停止させる（ステップ５２）。この結果、光源ランプ４１は、ランプ駆動部６による電源の供給が停止されて消灯する。この場合、主制御部１３は、温度センサ４４によって出力される温度信号Ｓｔに基づいて光学系ＯＰの温度を計測して（ステップ５３）、その温度が予め設定された温度（例えば６０℃）以下に低下するまでファン４３の作動を維持させる（ステップ５４）。次いで、主制御部１３は、その温度が予め設定された温度以下まで低下したと判別した時点で、ファン制御信号Ｓｆをファン制御部７に出力する（ステップ５５）。次いで、ファン制御部７がファン４３に対する電源の供給を停止することにより（作動停止制御することにより）、ファン４３が作動を停止する。続いて、主制御部１３は、「正常」を意味するクールダウン情報を記憶部１２に記憶させて（ステップ５６）、この電源遮断時処理５０を終了する。この場合、電源スイッチ３がオフ操作された時点から光学系ＯＰの温度が予め設定された温度以下に低下するまでの間において、電源プラグが商用交流コンセントから引き抜かれたことなどに起因して電源が異常遮断されたときには、主制御部１３によって「正常」を意味するクールダウン情報が記憶されないため、その状態では、記憶部１２には「異常」を意味するクールダウン情報が記憶されることとなる。
【００２３】
次に、上記した電源投入時処理６０について説明する。電源スイッチ３がオン操作された際には、主制御部１３は、前述したように、制御信号Ｓｌを出力してランプ駆動部６に対して電源の供給を開始させると共に（ステップ６１）、記憶部１２からクールダウン情報を読み込む（ステップ６２）。次に、主制御部１３は、読み込んだクールダウン情報が「正常」を意味する情報か否かを判別する（ステップ６３）。この際に、「正常」のときには、記憶部１２に記憶されているクールダウン情報を「異常」に書き換えて（ステップ６４）、この電源投入時処理６０を終了し、上記した通常の映像表示処理と受信音声の出力処理とを実行する。逆に、「異常」のときには、主制御部１３は、一例として図２に示すように、「前回、クールダウン処理が正常に終了しませんでした。今回からは正常にクールダウン処理をして下さい。」との警告を意味する警告画像２０をスクリーン８に表示させる映像信号Ｓｖを画像信号処理部５に対して出力させる（ステップ６５）。これに応じて、プロジェクタユニット４は、映像信号Ｓｖに基づいて光変調した投射光Ｌをスクリーン８に投射して、スクリーン８に警告画像２０を表示させる。
【００２４】
また、主制御部１３は、警告画像２０をスクリーン８に表示させた時点において、音声信号処理部９に対して「前回、クールダウン処理が正常に終了しませんでした。今回からは正常にクールダウン処理をして下さい。」との警告を意味する音声信号Ｓａをアンプ１０に出力させることで、アンプ１０によって増幅された警告音声をスピーカ１１から出力させる（ステップ６６）。この結果、利用者に対して、警告画像２０の表示と警告音声の出力の双方に基づいて、前回の使用終了の際に電源を異常に遮断したことを確実に認識させることができる。同時に、今回の使用終了に際しては、電源スイッチ３をオフ操作してクールダウン処理が正常に行われた後に商用交流コンセントから電源プラグを引き抜くなどの正常な電源遮断を行うべきである旨の注意を喚起することができる。また、主制御部１３は、警告画像２０をスクリーン８に表示させる映像信号Ｓｖを画像信号処理部５に出力した時点からの経過時間を計測し（ステップ６７）、１分間を経過した時点で、画像信号処理部５に対して警告画像２０の表示を停止させる（ステップ６８）。次いで、主制御部１３は、記憶部１２に記憶されているクールダウン情報を「異常」に書き換えて（ステップ６４）、この電源投入時処理６０を終了し、上記した通常の映像表示処理と受信音声の出力処理とを実行する。
【００２５】
以上のように、このテレビジョン装置１によれば、例えば、利用者によって誤って電源プラグが商用交流コンセントから引き抜かれたことなどに起因する電源異常遮断が生じた際に、記憶部１２が「異常」のクールダウン情報（異常作動停止情報）を記憶し、電源スイッチ３のオン操作時（電源投入時）において「異常」のクールダウン情報が記憶部１２に記憶されていたときに、主制御部１３、画像信号処理部５およびプロジェクタユニット４が電源異常遮断を報知することにより、利用者に対して、前回の使用終了の際に電源を異常に遮断したこと、および今回の使用終了の際には電源スイッチの操作によって電源を正常に遮断すべきであることを認識させることができる。この場合、警告画像２０をスクリーン８に投射表示させて電源異常遮断を視認させることにより、利用者に対して、前回の使用終了の際に電源を異常に遮断したこと、および今回の使用終了の際には電源スイッチの操作によって電源を正常に遮断すべきであることを確実に認識させることができる。また、電源異常遮断を警告する内容の警告音声をスピーカ１１から出力することにより、利用者に対して、電源異常遮断の発生したことおよび電源を正常に遮断すべきであることを一層確実に認識させることができる。
【００２６】
なお、本発明は、上記した本発明の実施の形態に限定されない。例えば、本発明の実施の形態では、テレビジョン装置１が警告画像２０と警告音声との双方で利用者に警告する例について説明したが、本発明はこれに限定されず、例えば、警告画像２０のみ、または警告音声のみで警告（報知）する構成を採用することができる。この場合にも、利用者は、警告画像２０を見ること、または警告音声を聴くことで、前回の使用終了の際に電源を異常に遮断したこと、および今回の使用終了の際には電源スイッチの操作によって電源を正常に遮断すべきであることを確実に認識する。また、本発明の実施の形態では、光学系ＯＰが予め設定された温度以下となる状態を本発明における「予め設定された所定の条件」として、ファン４３が光学系ＯＰを冷却する例について説明したが、予め設定した所定時間を所定の条件として、主制御部１３がファン４３に対して冷却させる構成を採用することもできる。
【００２７】
さらに、本発明の実施の形態では、背面投射型のプロジェクタ方式によるテレビジョン装置１を例に挙げて説明したが、前面投射型のプロジェクタに本発明を適用することもできる。また、本発明の実施の形態では、プロジェクタとしてテレビジョン放送の受信映像および受信音声を表示および出力するテレビジョン装置１を例に挙げて説明したが、外部から入力された画像のみを表示するプロジェクタに本発明を適用することもできる。さらに、本発明の実施の形態では、光源ランプ４１および光変調手段４２を有する光学系ＯＰを備えて構成されたテレビジョン装置１を例に挙げて説明したが、本発明はこれに限定されない。例えば、光源ランプから射出された光をフィルム状の透過原稿（本発明における「表示対象画像が描かれた透過性フィルム」の一例）を透過させてスクリーンに投射するＯＨＰ（Ｏｖｅｒｈｅａｄ  Ｐｒｏｊｅｃｔｏｒ）や、光源ランプから射出された光を陽画フィルム（本発明における「表示対象画像が描かれた透過性フィルム」の他の一例）を透過させてスクリーンに投射する映写機などの各種プロジェクタに本発明を適用することができる。
【００２８】
また、本発明の実施の形態では、テレビジョン装置１が警告画像２０を表示した後に警告画像２０に代えて一例としてＴＶチューナによって出力される受信映像を表示する例について説明したが、本発明はこれに限定されず、一例としてＴＶチューナによって出力された受信映像に警告を意味する文字をスーパーインポーズ表示する構成を採用することができる。また、本発明の実施の形態では、警告画像２０を１分間表示させる例について説明したが、本発明はこれに限定されず、時間は任意に設定することができる。また、利用者によってその時間を変更できる構成を採用することもできる。
【図面の簡単な説明】
【図１】テレビジョン装置１の構成を示すブロック図である。
【図２】テレビジョン装置１の正面図である。
【図３】電源遮断時処理５０のフローチャートである。
【図４】電源投入時処理６０のフローチャートである。
【符号の説明】
１  テレビジョン装置、２  主電源、３  電源スイッチ、４  プロジェクタユニット、５  画像信号処理部、６  ランプ駆動部、７  ファン制御部、８  スクリーン、９  音声信号処理部、１０  アンプ、１１  スピーカ、１２  記憶部、１３  主制御部、４１  光源ランプ、４２  光変調手段、４３  ファン、４４  温度センサ、５０  電源遮断時処理、６０  電源投入時処理、Ｌ  投射光、ＯＰ
光学系
【図１】
2004279908.tif 000003
【図２】
2004279908.tif 000004
【図３】
2004279908.tif 000005
【図４】
2004279908.tif 000006